(57)【要約】【課題】刈刃の回動において不具合が生じ難いフレールモーアの刈刃取付構造を供する。【解決手段】回転ドラム５０に設けられたブラケット９０に対するフレールモーアの刈刃取付構造であって、ブラケット９０は、刈刃７０の厚みより大きな間隔をもって対向する一対の支持片９１，９２を有し、一対の支持片９１，９２にはそれぞれ対向する位置に孔部９１ａ，９２ａが設けられ、刈刃７０は、貫通孔７０ａを有し、一対の支持片９１，９２の内側において貫通孔７０ａと孔部９１ａ，９２ａとにボルト４０が挿通されることによってブラケット９０に連結され、貫通孔７０ａの内周とボルト４０の外周との間には筒状部材４３が設けられ、筒状部材４３の長さは、一対の支持片９１，９２の外側面の間隔より大であり、筒状部材４３の外径は、少なくとも一対の支持片９１，９２の外側面の間隔より大きい長さの区間において孔部９１ａ，９２ａより小であること。【選択図】図２
2011062095.tif 000002
【特許請求の範囲】
【請求項１】
回転体に設けられた刈刃保持部材に対するフレールモーアの刈刃取付構造であって、
前記刈刃保持部材は、刈刃の厚みより大きな間隔をもって対向する一対の支持片を有し、該一対の支持片にはそれぞれ対向する位置に孔部が設けられ、
前記刈刃は、貫通孔を有し、前記一対の支持片の内側において前記貫通孔と前記孔部とに支持軸が挿通されることによって前記刈刃保持部材に連結され、
前記貫通孔の内周と前記支持軸の外周との間には筒状部材が設けられ、
前記筒状部材の長さは、前記一対の支持片の外側面の間隔より大であり、
前記筒状部材の外径は、少なくとも前記一対の支持片の外側面の間隔より大きい長さの区間において前記刈刃保持部材の孔部より小であることを特徴とするフレールモーアの刈刃取付構造。
【発明の詳細な説明】
【技術分野】
【０００１】
本発明は、草刈り作業に用いられるフレールモーアの刈刃取付構造に関する。
【背景技術】
【０００２】
従来、牧草、野草、雑草等を刈り取る機械として、水平回転軸に複数の刈刃を取り付け、該刈刃の回転によって牧草等をすくい上げてたたき切るフレールモーアが知られている。例えば、特許文献１にはトラクタなどの走行車に取り付けられて移動しながら、走行車から動力を得て刈刃が取り付けられた回転ドラムを回転させるフレールモーアが開示されている。
【０００３】
このようなフレールモーアにおける刈刃の取り付けは、回転ドラムの外周面に所定の間隔で垂直に並設された２つの板部材に設けられた孔部と刈刃に設けられた孔部とをボルトに２つの無給油軸受を外挿した取付軸で連結することによって行われている。これにより、刈刃は２つの板部材の間に回動自在に連結されることになる。
【先行技術文献】
【特許文献】
【０００４】
【特許文献１】特開２００４−３５１３９４号公報（段落０００３、段落０００４、図４）
【発明の概要】
【発明が解決しようとする課題】
【０００５】
このように、ボルトに無給油軸受を外挿した取付軸によって刈刃を連結することにより、刈刃が滑らかに回動することが期待されるが、無給油軸受の一端は、板部材に設けられた孔部の外径より大きい外径のフランジとなっており、板部材の孔部に外側面から係止するようになっているため、ボルトに対するナットの締め付けの力が大きいと２つの板部材が内側に歪み、板部材と刈刃との間にクリアランスがなくなり回動し難くなる虞がある。この場合、板部材に対して回動自在に連結されるはずの刈刃が板部材に固定されてしまうことになり、刈刃に石等が当たった際に力が逃げないため不具合の原因となることがある。
【０００６】
また、このような構成においてはボルトと無給油軸受との間及び無給油軸受と刈刃との間に殆ど間隙が生じないことによりブレのない回動とするのが一般的であるが、牧草、野草、雑草等を刈り取る際には、フレールモーアに草の断片や圃場の土等が付着してしまいボルトと無給油軸受との間及び無給油軸受と刈刃との間の僅かな間隙に入り込むため、無給油軸受が機能せず刈刃がうまく回動しなくなる虞がある。
【０００７】
本発明は、上記のような問題を課題の一例とし、不具合の少ないフレールモーアの刈刃取付構造を提供するものである。
【課題を解決するための手段】
【０００８】
このような課題を解決するため、本発明によるフレールモーアの刈刃取付構造は、回転体に設けられた刈刃保持部材に対するフレールモーアの刈刃取付構造であって、前記刈刃保持部材は、刈刃の厚みより大きな間隔をもって対向する一対の支持片を有し、該一対の支持片にはそれぞれ対向する位置に孔部が設けられ、前記刈刃は、貫通孔を有し、前記一対の支持片の内側において前記貫通孔と前記孔部とに支持軸が挿通されることによって前記刈刃保持部材に連結され、前記貫通孔の内周と前記支持軸の外周との間には筒状部材が設けられ、前記筒状部材の長さは、前記一対の支持片の外側面の間隔より大であり、前記筒状部材の外径は、少なくとも前記一対の支持片の外側面の間隔より大きい長さの区間において前記刈刃保持部材の孔部より小であることを特徴とする。
【発明の効果】
【０００９】
本発明によれば、刈刃の回動において不具合が生じ難いフレールモーアを提供することができる。
【図面の簡単な説明】
【００１０】
【図１】本発明の一実施の形態であるフレールモーアの正面図である。
【図２】本発明の一実施の形態であるフレールモーアの刈刃取付構造を示す断面模式図である。
【発明を実施するための形態】
【００１１】
以下、本発明の実施形態について図面を参照しながら具体的に説明する。便宜上、同一の作用効果を奏する部分には同一の符号を付け、その説明を省略する。
【００１２】
図１はフレールモーアの一例として、例えば農作業用の管理機１（全体図省略）の伝動ケース３０から左右に延在する回転軸に設けられる回転体としての回転ドラム５０に刈刃７０が取り付けられた状態を示す正面図である。図１において、説明の簡単のために、刈刃７０は回転ドラム５０に直線状に並設されているが、実際には刈刃７０は回転ドラム５０に対して所定間隔で所定角度ずらして全周囲に配設される。
【００１３】
刈刃７０は、回転ドラム５０に設けられた刈刃保持部材としてのブラケット９０に取り付けられる。該ブラケット９０は、対向する一対の平板状の保持片９１，９２を有しており、略Ｕ字形状からなる。図において、刈刃７０が２個で一対になって使用される例を示しているが、これに限定されず、例えば１個のみの刈刃でも構わない。なお、図示例では刈刃７０の２個分の厚みより保持片９１，９２間の内側面の距離が所定の長さ（例えば０．５〜５ｍｍ程度であり、好ましくは０．５〜２ｍｍ程度）大きく形成されている。
【００１４】
図２は刈刃取付構造を説明するための拡大断面図である。保持片９１，９２には、先端側の対向する位置に刈刃７０の支持軸として機能する係止部材であるボルト４０が挿通される孔部９１ａ，９２ａが設けられている。刈刃７０は一部が所定角度に屈曲した所定厚の鉄板部材であり、一端側には保持片９１，９２の内側においてボルト４０が挿通される貫通孔７０ａが設けられている。これにより、刈刃７０は、保持片９１，９２の内側において、保持片９１，９２の孔部９１ａ，９２ａに挿通されるボルト４０が刈刃７０の貫通孔７０ａに挿通されることによってブラケット９０に回動自在に連結される。この際、ボルト４０には略円筒形状の筒状部材４３が外挿されている。筒状部材４３は、内径がボルト４０のネジ部４０ａより所定の長さ（例えば１〜５ｍｍ程度であり、好ましくは１〜２ｍｍ程度）大きく、外径が保持片９１，９２の孔部９１ａ，９２ａ及び刈刃７０の貫通孔７０ａの内径より所定の長さ（例えば１〜５ｍｍ程度であり、好ましくは１〜２ｍｍ程度）小さく、長さが保持片９１の外側面から保持片９２の外側面までの距離より所定の長さ（例えば１〜５ｍｍ程度であり、好ましくは１〜３ｍｍ程度）大きく形成されている。
【００１５】
ボルト４０の端部はワッシャ４５及びナット４７が螺着され、これにより、ボルト４０に外挿された筒状部材４３は、ボルト頭４０ｂとワッシャ４５及びナット４７とによって挟持されることになる。なお、ボルト頭４０ｂ及びナット４７（又はワッシャ４５）の外径は保持片９１，９２の孔部９１ａ，９２ａの外径より大きく形成されており、孔部９１ａ，９２ａに係止可能となっている。図示例においては、筒状部材４３の外径が全域に亘って一定である例を示しているが、これに限られず、例えば筒状部材４３の一端側を保持片９２の孔部９２ａより多きい径を有するフランジとして、ワッシャ４３との接触面積を増やすようにしても構わない。
【００１６】
このように筒状部材４３の外径が保持片９１，９２の孔部９１ａ，９２ａ及び刈刃７０の貫通孔７０ａの内径より所定の長さだけ小さく形成された区間の長さが、保持片９１，９２の外側面間の距離より大きく形成されることにより、ナット４７を過度に締め付けた場合においても、ナット４７の締め付けは筒状部材４３に到達すると停止するため、ボルト頭４０ｂとナット４７によって保持片９１，９２を挟持してしまうことがなく、保持片９１，９２が歪むことがない。そのため、従来のように、ナット４７の過度の締め付けによる刈刃７０の回動に不具合が生じる虞がない。これにより、刈刃７０の取付作業において、ナット４７を締め付ける際に、刈刃７０が回動することの確認作業をする必要がなく、刈刃７０の取付が簡便となる。
【００１７】
また、筒状部材４３によって、孔部９１ａ，９２ａに係止可能なボルト頭４０ｂからナット４７までの距離が一定に保持され、該距離が保持片９１，９２の外側面間の距離より所定の長さ大きくなっているため、筒状部材４３、ボルト４５及びナット４７からなる支持軸は、ブラケット９０に対して左右方向に所定の長さの範囲内で移動自在に構成されている。同様に、刈刃７０の厚さ（実施例では２個分の厚さ）が保持片９１，９２の内側面間の距離より小さく形成されているため、刈刃７０は保持片９１，９２内において左右方向に所定の長さの範囲内で移動自在に構成される。さらに、筒状部材４３の外径が孔部９１ａ，９２ａ及び貫通孔７０ａの内径より所定の長さ小さく形成されているため、筒状部材４３は、孔部９１ａ，９２ａ及び貫通孔７０ａに対して所定の範囲内で移動及び回動自在に構成される。
【００１８】
このように、各部材間に所定の大きさのクリアランスが設けられていることにより、刈刃７０だけでなくボルト４０、筒状部材４３及びナット４５からなる支持軸も所定の範囲内で移動可能となる。これにより、作業中にフレールモーアに草の断片や圃場の土等が付着して各部材の間隙に入り込んだとしても、各部材同士が接触する際の衝撃、振動、摺動等によって土等が剥がれ落ちやすくなっており、刈刃７０の回動に不具合が生じ難い。また、刈刃７０と支持片９１，９２とを連結するボルト４０は、刈刃７０及び支持片９１，９２に対する接触部分が筒状部材４３によって保護されるため、摩耗等による劣化が進行し難い。
【００１９】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【００２０】
例えば、刈刃、筒状部材、ボルト、ブラケット等の各部材間に設けられたクリアランスの大きさは例示であり、これに限定されるものではなく、刈刃の回動に不具合が生じない範囲において、各部材の大きさに応じて適宜変更可能である。
【符号の説明】
【００２１】
１……管理機、３０……伝動ケース、４０……ボルト、４０ａ……ネジ部、４０ｂ……ネジ頭、４３…筒状部材、４５……ワッシャ、４７……ナット、５０……回転ドラム、７０……刈刃、７０ａ……貫通孔、９０……ブラケット、９１，９２……保持片、９１ａ，９２ａ……孔部
【図１】
2011062095.tif 000003
【図２】
2011062095.tif 000004